(57)【要約】  【課題】  短いガイド部材で確実に物品の流れを規制（幅寄せ）することができるガイド装置を提供すること。  【解決手段】  搬送装置Ｂの搬送路近傍に設けられ、搬送される物品が接触することで該物品を搬送路の幅方向に幅寄せを行う物品ガイド装置Ａにおいて、搬送面と直交する支軸３を中心として回転可能で、外周面に搬送される物品が接触した時前記回転で物品を搬送方向と直交する搬送路の幅方向に移動させる接触面ａを形成したガイド体Ａ１と、前記ガイド体の接触面ａから物品Ｗが離れた時、ガイド体を初期状態に回転復帰させる復帰手段１１と、を備えた。【選択図】        図１
2005314081.tif 000002
【特許請求の範囲】
【請求項１】
搬送装置の搬送路近傍に設けられ、搬送される物品が接触することで該物品を搬送路の幅方向に幅寄せを行う物品ガイド装置において、
搬送面と直交する支軸を中心として回転可能で、外周面に搬送される物品が接触した時前記回転で物品を搬送方向と直交する搬送路の幅方向に移動させる接触面を形成したガイド体と、
前記ガイド体の接触面から物品が離れた時、ガイド体を初期状態に回転復帰させる復帰手段と、
を備えたことを特徴とする物品ガイド装置。
【請求項２】
前記ガイド体は、支軸を中心とする回転動作を所定の回転角に規制する回転規制手段を備えていることを特徴とする請求項１記載の物品ガイド装置。
【請求項３】
前記ガイド体の接触面の内少なくとも搬送装置の中心方向の先端部は、前記支軸を中心とする円弧面であることを特徴とする請求項２記載の物品ガイド装置。
【請求項４】
前記ガイド体は、平面略扇形形状をなし、回転中心と対向する側面部に前記接触面が形成され、該側面部に物品が当接することで該ガイド体が回動することを特徴とする請求項１乃至３の何れか１項記載の物品ガイド装置。
【請求項５】
前記ガイド体は、搬送路の幅方向における設置位置を可変し得る支持手段で支持されていることを特徴とする請求項１乃至４の何れか１項記載の物品ガイド装置。
【請求項６】
前記支持手段は、支持枠と平行リンク機構で構成されていることを特徴とする請求項５記載の物品ガイド装置。
【請求項７】
請求項１乃至６の何れか１項記載の物品ガイド装置が、搬送装置の搬送路を挟む両側に互いに向かい合うように配置されていることを特徴とする搬送装置。
【発明の詳細な説明】
【技術分野】
【０００１】
本発明は搬送装置によって搬送される物品の搬送位置（搬送路の幅方向の位置）を規制する物品ガイド装置及びその物品ガイド装置を備えた搬送装置に関する。
【背景技術】
【０００２】
従来、搬送装置（ベルトコンベア、ローラコンベア等）によって搬送される物品の搬送位置を規制するガイド部材は、例えば特許文献１に開示されているものが知られている。
そのガイド部材は、棒材或いは板材を平面略く字形に折り曲げ形成し、これを搬送路上に搬送方向に向かって非接触状態で配置されされている。そして、前記く字形の折り曲げ角度は鈍角で緩やかに傾斜され、それにより搬送される物品がガイド部材に引っ掛かって搬送が停止するのを防止し、物品の流れを確保しながら位置規制をしている。
【０００３】
しかしながら、ガイド部材の入口側（先端間口）を緩やかに傾斜させると、ガイド部材自体が長くなり、位置規制（幅寄せ）に要する搬送区間も長くなり、結果、搬送装置を長くしなければならないという問題がある。
尚、ガイド部材を短くする為に前記折り曲げ角度を鋭角にし、入口側（先端間口)を急に広げると、搬送される物品がガイド部材に引っ掛かって搬送が停止する場合があり、従ってガイド部材は必要以上に短くすることができないという問題があった。
【０００４】
【特許文献１】特開２００４−２６３５１号公報
【発明の開示】
【発明が解決しようとする課題】
【０００５】
本発明は上記した従来の技術が有する問題点に鑑みてなされたもので、短いガイド部材で確実に物品の流れを規制（幅寄せ）することができるガイド装置を提供することを課題とする。
【課題を解決するための手段】
【０００６】
上記課題を達成する為に本発明が講じた技術的手段は、搬送装置の搬送路近傍に設けられ、搬送される物品が接触することで該物品を搬送路の幅方向に幅寄せを行う物品ガイド装置において、搬送面と直交する支軸を中心として回転可能で、外周面に搬送される物品が接触した時前記回転で物品を搬送方向と直交する搬送路の幅方向に移動させる接触面を形成したガイド体と、前記ガイド体の接触面から物品が離れた時、ガイド体を初期状態に回転復帰させる復帰手段と、を備えたことを特徴とする（請求項１）。
上記ガイド体は、搬送面に対し非接触状態で回転可能に支持され、復帰手段はコイルスプリングや板バネ等で構成されている。尚、復帰手段のバネ力は、搬送される物品の流れを止めない強さとし、物品の移動に伴うガイド体の回転により復帰手段の反発力が蓄積され、物品が接触面から離れた時、前記反発力で初期状態に回転復帰されるものであればよい。
上記手段によれば、搬送装置（ベルトコンベア、ローラコンベア等）によって搬送される物品がガイド体の接触面（外周面）に当接すると、該物品の移動によってガイド体は支軸を中心に回転され、その回転による接触面の変位で前記物品は搬送されながら搬送方向と直交する搬送路に幅方向に移動、即ち幅寄せされる。叉、ガイド体は完全な回転に限らず、回転中に支軸が移動するようなものでもよい。
【０００７】
上記ガイド体は、搬送される物品が当接しながら移動することで支軸を中心として回転するが、物品がガイド体の接触面から離れる位置は前記支軸の中心と搬送路の中心を結ぶ垂線上を接触面が通過する時であるが、ガイド体の回転する回転動作を所定の回転角に規制する回転規制手段を備えてもよい（請求項２）。その回転規制手段としては、支軸を中心とする所定角度の円弧案内孔とその円弧案内孔に嵌合する案内ピンからなり、円弧案内孔叉は案内ピンの一方をガイド体に形成し、他方を固定部材に形成する。
上記手段によれば、ガイド体の回転角度は回転規制手段によって常に一定の角度に規制される為、物品の幅寄せ位置を一定にすることができる。
【０００８】
叉、前記ガイド体の接触面は幅寄せという目的からすれば、支軸の中心から接触面までの寸法に変化があるのが一般的であるが、該接触面の内少なくとも搬送装置の中心方向の先端部は、前記支軸を中心とする円弧面とする（請求項３）。尚、その場合、円弧面の範囲は前記回転規制手段で規制される回転角度と略同じ角度の範囲とする。
上記手段によれば、物品がガイド体の接触面におけるどの位置に当接しても前記垂線を通過する位置は変わらないため、常に同じ位置に幅寄せすることができる。
【０００９】
前記ガイド体の具体的構成としては、例えば平面略扇形形状をなし、回転中心と対向する側面部に前記接触面が形成され、該側面部に物品が当接することで該ガイド体が回動するように構成する（請求項４）。
上記接触面は、前記した支軸を中心とする円弧面のみで形成しても、或いは円弧面に直線面を連続させた形態など、何れでもよい。尚、円弧面に連設する直線面は、一つの直線面でも、複数の直線面でもよい。
上記手段によれば、搬送物品が接触面に当接しながら移動されることでガイド体が回転するため、該ガイド体の側面部をなす接触面の角度は回転に伴い次第に緩くなる。従って、初期状態におけるガイド体の接触面の先端部（搬送装置中心方向の）から該接触面の後端部（搬送装置幅外側方向の）に至る傾斜角度は緩くする必要はなく、接触面の傾斜を急な角度にすることができる。結果、搬送方向に沿ったガイド体の長さを短くしても、物品の幅寄せを確実に行なうことができる。
【００１０】
更に、前記したガイド体は搬送装置における搬送路の幅方向の所定位置に設置されるが、搬送物品に応じて幅寄せの位置を変える必要がある。その為に、ガイド体は、搬送路の幅方向における設置位置を可変し得る支持手段で支持してもよい（請求項５）。
上記手段によれば、搬送物品の大きさに応じてガイド体の位置を搬送路の幅内において自由に調整することができる。
【００１１】
その支持手段の具体的構成としては、例えば、搬送装置に対してガイド装置を定着するための支持枠と、その支持枠に前記ガイド体を設置位置可変可能に支持する平行リンク機構で構成することができる（請求項６）。
【００１２】
また、上記の如く構成した物品ガイド装置は、搬送装置の搬送路を挟む両側に互いに向かい合うように配置してもよい（請求項７）。
上記構成の搬送装置によれば、搬送路の幅方向両側からガイド体により、幅寄せできるので、常に正しい位置に物品を規制できる。しかも、ガイド体の回転動作で幅寄せできる為、幅寄せに必要な搬送距離も短くてよく、幅寄せ搬送装置の機長を短くすることができる。
【発明の効果】
【００１３】
本発明に係る物品ガイド装置は請求項１記載の構成により、ガイド体に物品が当るとガイド体はその位置で搬送路内側に回転して物品を案内し、幅寄せする。従って、ガイド体を従来のように長くする必要はなく、短くコンパクトに構成できる。
また、請求項２記載の構成により、物品が当接して回転されるガイド体の回転角度は常に一定に保持され、常に一定の位置に物品を幅寄せすることができる。
更に、請求項３記載の構成により、物品がガイド体の側面部のどの位置に当接しても、ガイド体が回転した時の搬送装置中心方向の先端位置は変わらないので、常に同じ位置に物品を幅寄せすることができる。
【００１４】
また、請求項４記載の構成により、物品が接触面に当接しながら移動されることでガイド体が回転するため、該ガイド体の側面部をなす接触面の角度は回転に伴い次第に緩くなる。従って、初期状態におけるガイド体の接触面の先端部（搬送装置中心方向の）から該接触面の後端部（搬送装置幅外側方向の）に至る傾斜角度は緩くする必要はなく、接触面の傾斜を急な角度にすることができる。よって、搬送方向に沿ったガイド体の長さを短くでき、物品の幅寄せを確実に行なうことができる。
【００１５】
更に、請求項５、６記載の構成により、搬送路上におけるガイド体の位置を、搬送される物品の大きさに応じて自由に変えることができる。
また、請求項７記載の構成により、搬送路の幅方向両側からガイド体により、幅寄せできるので、常に正しい位置に物品を規制できる。しかも、ガイド体の回転動作で幅寄せできる為、幅寄せに必要な搬送距離も短くてよく、幅寄せ搬送装置の機長を短くすることができる。
【発明を実施するための最良の形態】
【００１６】
以下、本発明の実施の形態を図面に基づき説明する。
図１は、ベルトコンベアからなる搬送装置Ｂの上流側に、物品ガイド装置Ａが搬送路を挟んで両側に互いに向かい合うように配置された搬送装置で、該搬送装置Ｂの上流側に連設された搬送装置Ｂ’から搬送される物品Ｗを前記物品ガイド装置Ａ，Ａで該搬送装置Ｂの搬送路の幅方向の略中央位置に幅寄せし得るように構成されている。
【００１７】
物品ガイド装置Ａは、搬送装置Ｂによって搬送される物品を幅寄せするガイド体Ａ１と、そのガイド体Ａ１を搬送装置Ｂの搬送路上の所定位置に支持する支持手段Ａ２とで構成されている。
【００１８】
ガイド体Ａ１は、合成樹脂材で平面略扇形形状に形成した同形状の上面部材１と下面部材１’を所定間隔を置いて平行に対峙し、その上面部材１と下面部材１’の外周縁間を側面部材１”で閉塞連結し断面略コ字形に形成されている。
上記側面部材１”は、上面部材１と下面部材１’における略円弧形状の外周面とその外周面に連続する一方の直線面とに亘って形成され、他方の直線面側は開放して支持手段Ａ２と連結し得るように構成されており、上面部材１と下面部材１’の二つの直線面の交点部分の内側には回転の中心となる支軸３を貫通取り付けるための軸孔２が開設されている。
また、上面部材１と下面部材１’の略円弧形状の周縁の内側には、ガイド体Ａ１の回転角度を規制する回転規制手段４を構成する円弧案内孔４ａが開設されている。
【００１９】
上面部材１と下面部材１’に開設される円弧案内孔４ａの開き角度は、後述する接触面ａを構成する円弧面ａ１に連続する直線面ａ２が搬送装置Ｂの中心線Ｏと略平行となる回転角度とし、その上面部材１と下面部材１’の円弧案内孔４ａに亘って支持手段Ａ２に取り付けた案内ピン４ｂが挿通支持されて回転規制手段４が構成されている。
【００２０】
叉、側面部材１”における略円弧形状部分の閉塞部分が物品Ｗとの接触面ａとして機能する。その接触面ａは、搬送装置の中心方向を向く先端部から搬送装置の外側方向に至る所定角度の範囲を前記軸孔２（支軸３）を中心とする円弧面ａ１とし、その円弧面ａ１の端部から接触面ａの端部までは二つの直線面ａ２，ａ３を平面略く字形に連接して形成されている。そして、接触面ａの表面は、物品Ｗが当接した時、その物品Ｗの移動に伴ってガイド体Ａ１を一緒に回転させる摩擦力が生じるように形成されている。尚、接触面ａにおける円弧面以外の面は、一つの直線面で形成してもよいものである。
【００２１】
上記ガイド体Ａ１を支持する支持手段Ａ２は、本物品ガイド装置Ａを搬送装置Ｂのフレーム等に定着固定するための支持枠５と、その支持枠５に前記ガイド体Ａ１を連結する平行リンク機構６とで構成されている。
支持枠５は、金属板を用いて断面コ字形に形成され、搬送装置Ｂのフレーム等に上方から嵌合して定着し得るように構成されており、水平片部５ａにはガイド体Ａ１を支持する平行リンク機構６の基端側が固定され、垂直片部５ｂには支持枠５をフレーム等に対して固定するネジ等の固定具（図示省略）が取り付けられている。尚、支持枠５は図示した断面コ字形に限らず、平行リンク機構６の取付部と搬送装置Ｂへの取付部を備えた断面Ｌ字形等でもよいものである。
【００２２】
平行リンク機構６は、前記ガイド体Ａ１の軸孔２に挿通する支軸３を支持するリンク杆６ａと、回転規制手段４の案内ピン４ｂを支持するリンク杆６ｂと、前記支軸３と案内ピン４ｂを所定間隔に保持するリンク杆６ｃと、前記支軸３に一端を連結したリンク杆６ｄで構成され、リンク杆６ａ，６ｂの基部は前記支持枠５にビス７，８で固定されている。尚、支持枠５に対するリンク杆６ａ，６ｂの固定は、該リンク杆６ａ，６ｂの他端側同士を連結するリンク杆６ｃの取付間隔と同じ間隔で固定し、支軸３と案内ピン４ｂとビス７とビス８を結んだ形状が平行四辺形となるように配置されている。
【００２３】
叉、支軸３に一端を連結したリンク杆６ｄの他端側には長孔９が開設され、その長孔９を前記リンク杆６ｂの基部を支持枠５に固定するビス８に挿通し、ビス８を緩めることでリンク杆６ｄがスライド可能となり、ビス８を締め付けることでリンク杆６ｄのスライドが不可となり、搬送装置Ｂに対するガイド体Ａ１の位置が固定される。
尚、ビス８は上記したようにガイド体Ａ１の位置を変更する時、緩め／締め付ける為、その回動操作を簡便に行なえるよう摘み１０を取り付け、工具を使用せずに行なうことができるようにすると便利である。
【００２４】
上記平行リンク機構６で支持されるガイド体Ａ１は、支軸３を中心として円弧案内孔４ａの範囲内を回転するが、物品Ｗがガイド体Ａ１の接触面ａに当接することで搬送装置Ｂの搬送方向（矢印方向）に回転されたガイド体Ａ１を初期状態に回転復帰させる復帰手段１１が前記支軸３回りに装備されている。
その復帰手段１１は、コイルスプリングで構成され、支軸３にコイルスプリングを巻装し、そのコイルスプリング１１の一端１１ａをリンク杆６ｃに係着し、コイルスプリングの他端１１ｂは回転するガイド体Ａ１の側面部材１”に係着されている。それにより、ガイド体Ａ１が搬送方向（時計回り方向）に回転する時は、コイルスプリングを巻き締める方向に回転して弾発力を蓄積し、物品Ｗがガイド体Ａ１から離れた時前記蓄積された弾発力で逆方向（反時計回り方向）に回転され、自動的に初期状態に復帰され、次の搬送物品の幅寄せの為に待機する。
【００２５】
次に、上記物品ガイド装置Ａによる幅寄せの動作を図３乃至図６に基づいて説明する。
図３に示すように、物品ガイド装置Ａを備えた搬送装置Ｂの上流側に、センターをずらして連設配置された搬送装置Ｂ’から物品Ｗが搬送され、その物品Ｗが搬送装置Ｂの搬送方向に向かって左側（図面では上側）に配置された物品ガイド装置Ａのガイド体Ａ１の接触面ａに当ったとする。
物品Ｗの当接により左側のガイド体Ａ１は物品Ｗの移動に伴い搬送方向（矢印方向）に回転され、図４に示すように、そのガイド体Ａ１の回転で物品Ｗは反対側（搬送方向に向かって右側）に配置された物品ガイド装置Ａ側に幅寄せ移動され、右側の物品ガイド装置Ａのガイド体Ａ１の接触面ａに当接する。
そして、物品Ｗは搬送装置Ｂの左右両側に配置された物品ガイド装置Ａのガイド体Ａ１の回転によって幅寄せされると共に、搬送方向が修正される。
即ち、図５に示すように、ガイド体Ａ１の接触面ａにおける円弧面ａ１に連続した直線面ａ２（仮想線の状態）で物品Ｗの幅寄せ及び向きが規制され、図６に示すように、搬送装置Ｂの中心線上に物品Ｗの中心線が合致するように幅寄せされる。
幅寄せされた物品Ｗが左右の物品ガイド装置Ａのガイド体Ａ１から離れると、ガイド体Ａ１は幅寄せの回転時に蓄積した復帰手段１１の弾発力で初期状態に回転復帰され、次に搬送されてくる物品Ｗのために待機する。
【００２６】
図７は物品ガイド装置Ａにおけるガイド体Ａ１の位置を、搬送される物品Ｗ’に応じて変更した状態を示す。ガイド体Ａ１の位置変更、即ち搬送装置Ｂの搬送路の幅方向における位置を変更する場合は、ガイド体Ａ１を支持する平行リンク機構６におけるリンク杆６ｂ及びリンク杆６ｄを固定するビス８を、摘み１０を回動操作して緩め、リンク杆６ａ，６ｂの基端側が支持枠５に対して回動するようにする。そして、リンク杆６ｄを長孔９によってガイド体Ａ１を所定の位置（図３の実施例に比べて幅方向外側の位置）に移動調整した後、摘み１０を回動してビス８を締め付け、ガイド体Ａ１を支持する平行リンク機構６を支持枠５に対して固定する。尚、図７は物品Ｗ’の横幅が前示実施例の物品Ｗの横幅より大きい為、ガイド体Ａ１の位置を搬送路の外側方向に移動させたが、物品の横幅が小さい場合は搬送路の中心方向に移動調整する。
【００２７】
図８は本発明に係る物品ガイド装置の使用例を示し、物品（トレーに収容されフィルムで包装されたもの）の底面にラベルを貼付する場合、物品をラベル貼付位置に合わせて搬送する必要がある。その為に、ラベル下貼り装置１２を備えた搬送装置Ｂ”の上流側に、本物品ガイド装置Ａを搬送路の両側に向かい合わせて配置することで、搬送される物品を確実にラベル下貼り装置１２の線上に幅寄せして搬送することができる。
【００２８】
叉、本発明に係る物品ガイド装置Ａは前示実施例に示したように、２個のガイド装置を互いに向かい合わせて配置する使用形態に限定されるものではなく、１個での使用も可能である。以下、その使用例を図９に示す。
図９は、搬送装置Ｂ’の下流側に、搬送方向と直交する方向の一方側に側壁１３が形成され、搬送路の下側にラベル下貼り装置１４が設けられた場合、搬送される物品を前記側壁１３と当接する方向に幅寄せするために、搬送路上に前記側壁１３と対向させて配置する。それにより、物品Ｗを側壁１３を基準とする位置に幅寄せすることができる。
【００２９】
上記した実施の形態におけるガイド体Ａ１は、上面部材１，下面部材１’，及び側面部材１”の貼り合せによる形態について説明したが、合成樹脂材による一体成形品でも勿論よいものである。尚、図３乃至図６ではセンターがずれて位置する搬送装置Ｂ’から物品Ｗが搬送される例を示しているが、これに限らず、センターが合っている位置に搬送装置Ｂ’が配置されていたとしても、その搬送装置Ｂ’上で物品Ｗが滑ることで物品Ｗの搬送位置がずれる場合でもよい。
【図面の簡単な説明】
【００３０】
【図１】本発明に係る物品ガイド装置を搬送路の両側に配置した状態を示す一部切欠平面図。
【図２】物品ガイド装置を示す拡大斜視図。
【図３】幅寄せ動作を示す説明図で、物品がガイド装置箇所に搬入される平面図。
【図４】搬送路両側のガイド装置におけるガイド体に物品が当接して幅寄せされる状態を示す同平面図。
【図５】幅寄せ動作におけるガイド体の回転を示す拡大平面図。
【図６】幅寄せ動作が完了する直前の状態を示す同平面図。
【図７】物品ガイド装置の位置を物品の大きさに応じて変更した状態を示す平面図。
【図８】物品ガイド装置の使用例を示す平面図。
【図９】物品ガイド装置の他の使用例を示す平面図。
【符号の説明】
【００３１】
Ａ…物品ガイド装置                Ａ１…ガイド体
Ａ２…支持手段            Ｂ，Ｂ’，Ｂ”…搬送装置
Ｗ…物品                            ａ…接触面
３…支軸                            ４…回転規制手段
５…支持枠                          ６…平行リンク機構
１１…復帰手段
【図１】
2005314081.tif 000003
【図２】
2005314081.tif 000004
【図３】
2005314081.tif 000005
【図４】
2005314081.tif 000006
【図５】
2005314081.tif 000007
【図６】
2005314081.tif 000008
【図７】
2005314081.tif 000009
【図８】
2005314081.tif 000010
【図９】
2005314081.tif 000011